(57)【要約】【課題】テレビジョン信号の受信状態が悪化した場合でも，映像の品質の劣化を軽減する。【解決手段】テレビジョン信号受信装置からコンポジット映像信号の入力を受けるテレビジョン信号処理装置において，前記テレビジョン信号の受信状態が第１の受信状態のときは第１の周波数帯域で，前記第１の受信状態より悪い第２の受信状態のときは前記第１の周波数帯域より狭い第２の周波数帯域で前記コンポジット映像信号から前記色信号を抽出する。【選択図】図２
2007306173.tif 000002
【特許請求の範囲】
【請求項１】
テレビジョン信号受信装置からコンポジット映像信号の入力を受けるテレビジョン信号処理装置であって，
前記テレビジョン信号の受信状態が第１の受信状態のときは第１の周波数帯域で，前記第１の受信状態より悪い第２の受信状態のときは前記第１の周波数帯域より狭い第２の周波数帯域で前記コンポジット映像信号から前記色信号を抽出する信号抽出部を有し，
前記コンポジット映像信号から前記色信号を取り除いた輝度信号と前記色信号とに基づく映像信号を出力するテレビジョン信号処理装置。
【請求項２】
請求項１において，
前記第１の受信状態は，前記テレビジョン信号の電界強度が第１の強度のときであり，前記第２の受信状態は，前記電界強度が前記第１の強度より弱い第２の強度のときであることを特徴とするテレビジョン信号処理装置。
【請求項３】
請求項１において，
前記第１の受信状態は，前記テレビジョン信号受信装置のＡＧＣ信号が第１のゲインにする信号のときであり，前記第２の受信状態は，前記ＡＧＣ信号が前記第１のゲインより大きい第２のゲインにする信号のときであることを特徴とするテレビジョン信号処理装置。
【請求項４】
請求項１において，
前記コンポジット映像信号から抽出された同期信号を入力して，前記同期信号に同期したクロック信号を出力するＰＬＬ回路をさらに有し，
前記第１の受信状態は，前記ＰＬＬ回路の一定時間内におけるロック時間の割合であるロック率が第１のロック率のときであり，前記第２の受信状態は，前記ＰＬＬ回路のロック率が前記第１のロック率より小さい第２のロック率のときであることを特徴とするテレビジョン信号処理装置。
【請求項５】
請求項１乃至４のいずれかにおいて，
前記信号抽出部は，色信号を抽出する周波数帯域を前記第１の周波数帯域から第２の周波数帯域へ切替える場合には，前記色信号を抽出する周波数帯域と前記受信状態が第１の対応関係を示し，第２の周波数帯域から第１の周波数帯域に切替える場合には，前記色信号を抽出する周波数帯域と前記受信状態が第２の対応関係を示すことを特徴とするテレビジョン信号処理装置。
【請求項６】
テレビジョン信号受信装置が出力するコンポジット映像信号を処理するテレビジョン信号処理方法であって，
前記テレビジョン信号の受信状態が第１の受信状態のときは第１の周波数帯域で，前記第１の受信状態より悪い第２の受信状態のときは前記第１の周波数帯域より狭い第２の周波数帯域で前記コンポジット映像信号から前記色信号を抽出する工程と，
前記コンポジット映像信号から前記色信号を取り除いて輝度信号を抽出する工程と，
前記色信号と前記輝度信号とに基づく映像信号を出力する工程とを有するテレビジョン信号処理方法。
【発明の詳細な説明】
【技術分野】
【０００１】
本発明は，コンポジット映像信号から色信号と輝度信号とを抽出するテレビジョン信号処理装置に関し，特に，テレビジョン信号の受信状態に応じて，色信号を抽出する周波数帯域を変更するテレビジョン信号処理装置及びテレビジョン信号処理方法に関する。
【背景技術】
【０００２】
一般にテレビジョン装置は，テレビジョン信号受信装置，テレビジョン信号処理装置，表示装置等により構成される。まず，テレビジョン信号受信装置が，高周波のテレビジョン信号を受信して中間周波信号に変換し，中間周波信号からコンポジット映像信号を抽出して出力する。かかるテレビジョン信号受信装置の例が，特許文献１に記載されている。
【０００３】
そして，テレビジョン信号受信装置から出力されたコンポジット信号はテレビジョン信号処理装置へ入力される。テレビジョン信号処理装置はコンポジット映像信号から輝度信号と色信号，及び同期信号を抽出し，輝度信号と色信号とに基づくＲＧＢ信号と同期信号を表示装置へ出力する。表示装置は，ＲＧＢ信号と同期信号に基づいて，受信されたテレビジョン映像を画面に表示する。
【特許文献１】特開２００１−３１３８８１号公報
【発明の開示】
【発明が解決しようとする課題】
【０００４】
しかしながら，テレビジョン信号の受信状態が悪化すると，受信電波に含まれるノイズにより表示される映像の品質が劣化する。特に，テレビジョン信号処理装置がコンポジット映像信号から色信号と輝度信号とを抽出する際，色信号にノイズが多く混入していると，映像の色の品質の劣化が顕著となる。例えば，本来出力されるべき色とは異なった色が出力されてしまい，ユーザの見た目にも不快感を与えてしまう。
【０００５】
さらに，近年普及している車両に搭載されるテレビジョン装置では，車両の移動に伴い受信電波の電界強度が変化するので，弱電界領域へ移動した際に受信状態が悪化し，上記のような映像の劣化が生じ易い。
【０００６】
そこで，本発明の目的は，テレビジョン信号の受信状態が悪化した場合でも，映像の品質の劣化を軽減するようなテレビジョン信号処理装置及びテレビジョン信号処理方法を提供することにある。
【課題を解決するための手段】
【０００７】
上記の目的を達成するために，本発明の第１の側面によれば，テレビジョン信号受信装置からコンポジット映像信号の入力を受けるテレビジョン信号処理装置において，前記テレビジョン信号の受信状態が第１の受信状態のときは第１の周波数帯域で，前記第１の受信状態より悪い第２の受信状態のときは前記第１の周波数帯域より狭い第２の周波数帯域で前記コンポジット映像信号から前記色信号を抽出する信号抽出部を有することを特徴とする。そして，このテレビジョン信号処理装置は，前記コンポジット映像信号から前記色信号を取り除いた輝度信号と前記色信号とに基づく映像信号を出力する。
【０００８】
上記第１の側面によれば，テレビジョン信号の受信状態が良好なとき，つまり受信したテレビジョン信号全体のＳ／Ｎ比（信号対ノイズ比）が大きいときは第１の周波数帯域で色信号をコンポジット映像信号から分離し，受信状態が悪化し，受信したテレビジョン信号全体のＳ／Ｎ比が低下したときは第１の周波数帯域より狭い第２の周波数帯域で色信号をコンポジット映像信号から抽出する。よって，受信状態が不良のときであっても，抽出される色信号のＳ／Ｎ比（信号対ノイズ比）を改善することができる。
【発明の効果】
【０００９】
本発明によれば，テレビジョン信号全体のＳ／Ｎ比が低下した場合でも，抽出した色信号のＳ／Ｎ比を改善することができ，映像の色の品質劣化を軽減することができる。  
【発明を実施するための最良の形態】
【００１０】
以下，図面にしたがって本発明の実施の形態について説明する。但し，本発明の技術的範囲はこれらの実施の形態に限定されず，特許請求の範囲に記載された事項とその均等物まで及ぶものである。
【００１１】
図１は，本実施の形態におけるテレビジョン信号処理装置の構成を説明する図である。テレビジョン信号処理装置２００は，テレビジョン信号受信装置１００から入力されるコンポジット映像信号ＣＭＶＳを処理してＲＧＢ信号Ｒ，Ｇ，Ｂを生成し，映像信号として表示装置４００へ出力する。テレビジョン信号受信装置１００，テレビジョン信号処理装置２００，表示装置４００は車両に搭載されるテレビジョン装置を構成する。
【００１２】
テレビジョン信号受信装置１００では，アンテナ１１が受信した高周波（周波数帯域９０〜７００ＭＨｚ）のテレビジョン信号から，チューナ１０がユーザにより選択されたチャネルの周波数帯域を抽出して中間周波信号に変換する。チューナ１０から出力される中間周波信号は中間周波信号増幅器１２により増幅され，映像検波器１４に入力される。映像検波器１４は，中間周波信号から被搬送信号である映像中間周波信号を抽出する。映像中間周波信号の一部はＡＧＣ（Ａｕｔｏｍａｔｉｃ Ｇａｉｎ Ｃｏｎｔｒｏｌ）２０へ入力され，一部は映像増幅器１６により増幅されてコンポジット映像信号ＣＭＶＳとしてテレビジョン信号処理装置２００へ出力される。
【００１３】
ＡＧＣ２０は，映像検波器１４の出力を一定に保つため，映像検波器１４から入力された映像中間周波信号に基づき，チューナ１０及び中間周波信号増幅器１２のゲインを制御する。具体的には，映像中間周波信号が小さい程大きいゲインを得るようなＡＧＣ信号をチューナ１０の図示されない高周波増幅器及び中間周波信号増幅器１２に出力する。また，このＡＧＣ信号は，テレビジョン信号処理装置２００の制御部２８へも出力され，後述するように制御部２８はＡＧＣ信号に応じて信号抽出部２２の動作を制御する。
【００１４】
また，電界強度検知器１８は，チューナ１０の受信信号の電界強度を検知し，検知した電界強度である電界強度信号をテレビジョン信号処理装置２００の制御部２８へ出力する。後述するように，制御部２８は電界強度信号に応じて信号抽出部２２の動作を制御する。
【００１５】
テレビジョン信号処理装置２００では，映像増幅器１６からのコンポジット映像信号ＣＭＶＳを信号抽出部２２と同期信号分離部３０が受ける。信号抽出部２２は，バンドパスフィルタ２３と不図示の減算回路等を有し，バンドパスフィルタ２３は制御部２８からの制御信号により通過帯域幅を変更できるデジタルフィルタで構成される。信号抽出部２２は，まず色信号Ｃをバンドパスフィルタ２３に設定される通過帯域を通過させることによりこれをコンポジット映像信号ＣＭＶＳから抽出し，コンポジット映像信号ＣＭＶＳから色信号Ｃを減算することにより輝度信号Ｙを抽出する。
【００１６】
抽出された輝度信号Ｙは，詳細は後述するがノイズ検出部２５でカラーバースト信号区間のノイズを検出された後，マトリクス回路２６に入力される。また，色信号Ｃは色復調部２４に入力され，色復調部２４は色信号Ｃから色差信号，つまり青色差信号Ｃｂ，赤色差信号Ｃｒとをさらに抽出してマトリクス回路２６に入力する。マトリクス回路２６は，入力される輝度信号Ｙ，色差信号Ｃｒ，Ｃｂに対応するＲＧＢ信号Ｒ，Ｇ，Ｂを生成し，表示装置４００へ出力する。
【００１７】
コンポジット映像信号ＣＭＶＳが入力された同期信号分離部３０は，コンポジット映像信号ＣＭＶＳから水平同期信号と垂直同期信号とを取り出し，水平同期信号をＰＬＬ回路３２に入力する。ＰＬＬ回路３２は，水平同期信号と同期した基準クロックＣＬＫを生成して，制御部２８，色復調部２４，マトリクス回路２６，及び表示装置４００へ出力する。そして，制御部２８等は基準クロックＣＬＫに従ってそれぞれ処理を行い，表示部４００は基準クロックＣＬＫに基づいてＲＧＢ信号Ｒ，Ｇ，Ｂに対応する画像を表示する。
【００１８】
上記構成の車載テレビジョン装置では，車両の移動に伴い受信電波の電界強度が変化するため，受信するテレビジョン信号の大きさも変化する。すると，テレビジョン信号受信装置１００におけるテレビジョン信号の受信状態，つまり受信したテレビジョン信号と，これに含まれるノイズとのＳ／Ｎ比も電界強度に応じて変化する。かかる電界強度の変化に応じ，信号抽出部２２が色信号Ｃを抽出する動作について以下に説明する。
【００１９】
まず，コンポジット映像信号ＣＭＶＳに含まれる輝度信号Ｙと色信号Ｃの周波数成分を見てみると，図２（Ａ）に示すように輝度信号成分ＹＳは０〜４．２ＭＨｚの周波数帯域に分布し，色信号成分ＣＳは３．５８ＭＨｚを中心に±０．５ＭＨｚの周波数帯域に分布している。なお，ノイズ成分ＮＳは，周波数帯域全体にわたって分布している。そこで，まずテレビジョン信号処理装置２００の制御部２８は，電界強度が十分に強くテレビジョン信号のＳ／Ｎ比が大きいとき，すなわち受信したテレビジョン信号の周波数成分に比べてノイズ成分ＮＳが問題とならない程度に少量なときは，図２（Ａ）に示すように信号抽出部２２のバンドパスフィルタ２３の通過帯域を３．５８ＭＨｚを中心とした１ＭＨｚの通過帯域幅Ｗとして色信号Ｃを通過させて抽出し，通過しない部分を輝度信号Ｙとして抽出する。
【００２０】
ところが，電界強度が弱くなると受信したテレビジョン信号が低下し，図２（Ｂ）に示すようにノイズ成分ＮＳの量が相対的に増加する。すると，上記のようにして通過帯域Ｗで抽出される色信号ＣのＳ／Ｎ比，つまり色信号成分の分布曲線ＣＳのノイズ成分ＮＳと重複しない部分の面積Ｓと，ノイズ成分ＮＳと重複する網掛けされた部分の面積Ｎの比率は低下する。特に，３．５８ＭＨｚから離れた周波数帯域Ｆ１，Ｆ２の周波数成分ではノイズ成分ＮＳの占める割合が大きく，Ｓ／Ｎ比が極めて低くなる。よって，通過帯域幅Ｗで色信号Ｃを抽出した場合は，Ｓ／Ｎ比が極めて低い周波数帯域Ｆ１，Ｆ２の信号を含んでおり，これらの信号に対応した色が正確に出力されなくなってしまう。
【００２１】
そこで，テレビジョン信号処理装置２００は，図２（Ｃ）に示すように信号抽出部２２のバンドパスフィルタ２３の通過帯域を，３．５８ＭＨｚを中心とした１ＭＨｚの通過帯域幅Ｗより狭い通過帯域幅Ｎに変更して色信号Ｃを抽出する。そうすることにより，Ｓ／Ｎ比が極めて低い周波数帯域Ｆ１，Ｆ２の信号成分を色信号成分として取り込まず，抽出された色信号ＣのＳ／Ｎ比，つまり，色信号成分の分布曲線Ｃのノイズ成分ＮＳと重複しない部分の面積（Ｓ１）と，ノイズ成分ＮＳと重複する網掛け部分の面積（Ｎ１）の比率を向上させることができる。
【００２２】
なお，色信号抽出部２２は，バンドパスフィルタ２３を通過しない信号を輝度信号Ｙとするので，周波数帯域Ｆ１，Ｆ２に存在するノイズ成分は輝度信号Ｙに混入されることとなる。しかし，色信号Ｃに対するノイズの影響が映像本来の色と異なる色の映像が表示されるという見た目にも顕著なものであるのに対し，輝度信号Ｙに対するノイズの影響は映像の輝度が本来の輝度より明るい・暗いという比較的目立たないものである。よって，周波数帯域Ｆ１，Ｆ２のノイズ成分が輝度信号に混入する影響を差し引いても，色信号ＣのＳ／Ｎ比を改善することによる映像品質の改善効果の方が大きい。このため，本実施の形態においては，バンドパスフィルタ２３の通過帯域を狭くして狭い周波数帯域の色信号Ｃを抽出することにより，映像の品質低下を軽減することができる。
【００２３】
上記の動作は，制御部２８が電界強度検知器１８から受ける電界強度信号に基づき信号抽出部２２の動作を制御することにより実現される。例えば，図３（Ａ）に示すように，電界強度信号が閾値ＴＨＶを上回っている場合，つまり電界強度が十分強い場合には通常の通過帯域Ｗで，電界強度信号が閾値ＴＨＶ以下であれば狭い通過帯域Ｎをバンドパスフィルタ２３に設定するように，信号抽出部２２を制御する。
【００２４】
バンドパスフィルタ２３は，入力信号に複数の係数を乗算することにより一定の周波数帯域を減衰させるデジタルフィルタであり，係数の数や係数の値に応じて減衰される周波数帯域が異なる。よって，図４（Ａ）に示すように，制御部２８は係数テーブル２９に係数群１，係数群２を格納しておき，電界強度に応じてバンドパスフィルタ２３へこれらの係数群を入力して通過帯域を制御する。例えば，バンドパスフィルタ２３は，係数群１を入力された場合は，入力されるコンポジット映像信号ＣＭＶＳに係数群１を乗算して帯域Ｗ（図４（Ｂ））の色信号Ｃを抽出し，高周波部分と低周波部分とを減衰させるような係数２を入力された場合は，入力信号に係数群２を乗算して通過帯域Ｎ（図４（Ｂ））で色信号Ｃを出力する。このようにして，バンドパスフィルタ２３に適当な係数を設定することにより，通過帯域Ｗあるいは通過帯域Ｎの切替を行うことができる。
【００２５】
また，制御部２８は，ＡＧＣ２０からＡＧＣ信号を受け，ＡＧＣ信号に基づいてバンドパスフィルタ２３の通過帯域を制御してもよい。テレビジョン信号の電界強度が強ければ中間周波信号増幅器１２等のゲインは大きいのでＡＧＣ信号は小さいゲインを得るような信号であり，電界強度が弱ければ中間周波信号増幅器１２等のゲインは小さくなり，ＡＧＣ信号はより大きいゲインを得る信号となる。よって，制御部２８は，電界強度を示すパラメータとしてＡＧＣ信号を用いることができ，ＡＧＣ信号により得られるゲインがある閾値を下回る場合には通常の通過帯域Ｗ，ＡＧＣ信号により得られるゲインが閾値以上であれば狭い通過帯域Ｎに対応した係数群をバンドパスフィルタ２３に入力し，バンドパスフィルタ２３の通過帯域の切り替えを行う。
【００２６】
また，制御部２８は，同期信号分離部３０が分離した水平同期信号と同位相のクロックＣＬＫをＰＬＬ回路３２が生成する際に，ＰＬＬ回路３２のロック率に応じてバンドパスフィルタ２３の通過帯域を制御してもよい。ここでロック率とは，ＰＬＬ回路３２が生成する基準クロックＣＬＫと水平同期信号の位相が一致している状態（ロック状態）が継続する時間の一定時間内における割合をいう。
【００２７】
受信した信号の電界強度が弱い場合には，ノイズの影響により水平同期信号の位相が乱れると，ＰＬＬ回路３２に入力される水平同期信号と基準クロックＣＬＫとの位相差が生じるのでＰＬＬ回路３２のロック状態が解除され，ＰＬＬ回路３２は基準クロックＣＬＫの位相を水平同期信号に同期させるよう動作する。反対に，電界強度が強い場合には，水平同期信号の位相が安定し，ロック状態が維持される。よって，制御部２８は，ＰＬＬ回路３２のロック率を電界強度を示すパラメータとして用いることができ，ＰＬＬ回路３２が検出したロック率の入力を受けて，ロック率が閾値より高ければ通常の通過帯域Ｗ，ロック率が閾値以下であれば狭い通過帯域Ｎに対応した係数群をバンドパスフィルタ２３に入力し，バンドパスフィルタ２３の通過帯域の切り替えを行う。
【００２８】
このようにして，制御部２８は，テレビジョン信号受信装置１００から電界強度信号やＡＧＣ信号を受け取らない場合でも，コンポジット映像信号ＣＭＶＳに基づいてテレビジョン信号の受信状態に応じた通過帯域をバンドパスフィルタ２３に設定することができる。
【００２９】
また，制御部２８は色復調部２４が色信号Ｃから色差信号Ｃｂ，Ｃｒを抽出する際に用いるカラーバースト信号に基づき，バンドパスフィルタ２３の通過帯域を制御してもよい。カラーバースト信号はコンポジット信号に含まれ，色復調部２４が色信号Ｃから色差信号Ｃｂ，Ｃｒを位相選択検波する際にバースト信号の位相を基準とする。図５（Ａ）に示すように，１ライン分の映像に対応するコンポジット信号ＣＭＶＳ１において，カラーバースト信号ＣＢは，水平同期信号ＨＳと，色信号Ｃと輝度信号Ｙの複合信号の間，約４．７μＳに３．５８ＭＨｚの信号として挿入される。
【００３０】
コンポジット映像信号ＣＭＶＳ１（図５（Ａ））は信号抽出部２２により色信号Ｃとカラーバースト信号ＣＢ（図５（Ｂ）），及び輝度信号Ｙ（図５（Ｃ））とに分離されるが，カラーバースト信号ＣＢが挿入されるカラーバースト信号区間ＣＢＰは，輝度信号Ｙの水平同期信号ＨＳに追随した約４．７μＳに相当する（図５（Ａ））。よって，信号抽出部２２が抽出した輝度信号Ｙを入力されたノイズ検出部２５は，水平同期信号ＨＳに同期した基準クロックＣＬＫに基づきカラーバースト信号区間ＣＢＰを検出し，その区間の周波数成分を検出する（図５（Ｃ））。色信号Ｃとカラーバースト信号が取り除かれた輝度信号Ｙにおけるカラーバースト信号区間には，本来信号は存在しないので，この区間で検出された信号はノイズ成分ということになる。かかるノイズ成分量は色信号Ｃに混入するノイズ成分量の目安となるので，カラーバースト信号区間ＣＢＰのノイズ成分が多ければ，受信信号のＳ／Ｎ比が悪化している。
【００３１】
そこで，色復調部２４は，ＰＬＬ回路３２から受ける基準クロックＣＬＫの後４．７μＳでの信号を検出し，ノイズ成分が検出された場合は，その成分量を制御部２８へ入力する。そして，制御部２８は，色復調部２４から受け取るカラーバースト信号区間のノイズ成分量が閾値より小さければ通常の通過帯域Ｗ，ノイズ成分が閾値以上であれば狭い通過帯域Ｎに対応した係数群をバンドパスフィルタ２３に入力し，バンドパスフィルタ２３の通過帯域の切り替えを行う。
【００３２】
また，カラーバースト信号ＣＢは，１ラインごとに位相が逆相になるように挿入されるので，あるラインのカラーバースト信号と次のラインのカラーバースト信号の位相差が１８０度となっていなければ，ノイズの影響でカラーバースト信号の位相が乱れていることになり，すなわち受信信号のＳ／Ｎ比が低下している。そこで，色復調部２４は，基準クロックＣＬＫに基づき連続するラインのカラーバースト信号を色信号Ｃから検出し，カラーバースト信号同士の位相差を制御部２８へ入力する。そして，制御部２８は位相差が１８０度であれば，通常の通過帯域Ｗ，位相差が１８０度出ない場合は狭い通過帯域Ｎに対応した係数群をバンドパスフィルタ２３に入力し，バンドパスフィルタ２３の通過帯域の切り替えを行う。
【００３３】
上述のようにして，制御部２８はテレビジョン信号の電界強度あるいは電界強度と相関関係にある各種パラメータに応じてバンドパスフィルタ２３の通過帯域を設定できる。
【００３４】
以上の例では，制御部２２はバンドパスフィルタ２３に２種類の係数群を設定することにより，それぞれの係数群に応じた通過帯域を設定している。かかる係数は，係数テーブル２９に予め格納されているが，係数テーブルを書換え可能な不揮発性記憶装置に格納し，係数群を適宜に設定可能とすることもできる。そうすることにより，例えば工場出荷時などに，バンドパスフィルタ２３のハード特性に応じた最適な係数をベンチマークテストにより算出し，算出された係数を係数テーブル２９に格納することにより，制御部２８は格納された係数群を設定してバンドパスフィルタ２３の通過帯域を変更することができる。
【００３５】
また，ＣＰＵ３４が電界強度等に応じた係数群を演算により求めてもよい。そうすることにより，図３（Ｂ）で示すように，電界強度が閾値ＴＨＶを下回った場合に，ＣＰＵ３４は電界強度信号，ＡＧＣ信号，ＰＬＬロック率等に応じてバンドパスフィルタ２３の通過帯域を計算し，その通過帯域を設定するための係数を計算してバンドパスフィルタ２３に設定する。そうすることにより，電界強度の変化に応じた段階的な通過帯域を設定でき，映像品質の改善も段階的に行うことができる。さらにその場合の変形例として，制御部２８がバンドパスフィルタ２３の通過帯域を変更する際，切替をヒステリシス的に行うようにしてもよい。
【００３６】
図６は，バンドパスフィルタ２３の通過帯域の変更をヒステリシス的に行う制御部２８の動作を説明する図である。図６（Ａ）は制御部２８の動作手順を説明するフローチャート図であり，図６（Ｂ），（Ｃ）は電界強度と通過帯域幅との関係を示す図である。
【００３７】
まず，図６（Ｂ）で制御部２８がバンドパスフィルタ２３の通過帯域の切替をヒステリシス的に行わない場合を示す。制御部２８は，電界強度Ｖ１とＶ２を閾値として，電界強度信号が電界強度Ｖ１より大きいときは通過帯域をＷ，電界強度信号が電界強度Ｖ２より小さいときは通過帯域をＮとなるようにバンドパスフィルタ２３に係数を設定する。そして，電界強度Ｖ１，Ｖ２の間では，電界強度信号に応じて通過帯域がＷからＮへ線形に変化するように通過帯域を制御する。しかしながらこの方法では，電界強度が閾値Ｖ１と閾値Ｖ２との間で不安定に変動するときは，電界強度信号の変動に応じてバンドパスフィルタの通過帯域も不安定に変動し，結果として表示される映像が不安定となる。そこで，図６（Ａ），（Ｃ）で示す動作を行う。
【００３８】
まず，制御部２８はバンドパスフィルタ２３に設定されている通過帯域を判断する（図６（Ａ）のＳ１０）。広い通過帯域Ｗに設定されている場合（（図６（Ａ）のＳ１０の「Ｗ」，図６（Ｃ）のＢ１０）に，電界強度信号が閾値Ｖ１以下となったとき（（図６（Ａ）のＳ２０のＹＥＳ），ＣＰＵ３４により電界強度（弱電界）に応じた通過帯域を設定するための係数を計算し，その係数をバンドパスフィルタ２３に設定する（図６（Ａ）のＳ２２，図６（Ｃ）のＢ２２）。そして，通過帯域が狭い通過帯域Ｎに設定されたら，通過帯域の変更を終了する（図６（Ａ）のＳ２４，図６（Ｃ）のＢ１２））。
【００３９】
一方，狭い通過帯域Ｎに設定されている場合（（図６（Ａ）のＳ１０の「Ｎ」，図６（Ｃ）のＢ１２）に，電界強度信号が閾値Ｖ３より大きくなったときは（（図６（Ａ）のＳ３０のＹＥＳ），ＣＰＵ３４により電界強度（強電界）に応じた通過帯域を設定するための係数を計算し，その係数をバンドパスフィルタ２３に設定する（図６（Ａ）のＳ３２，図６（Ｃ）のＢ３２）。そして，通過帯域が広い通過帯域Ｗに設定されたら，通過帯域の変更を終了する（図６（Ａ）のＳ３４，図６（Ｃ）のＢ１０））。
【００４０】
上記の動作により，バンドパスフィルタ３２の通過帯域Ｗ，Ｎの切替をヒステリシス的に行うことができる。すなわち，制御部２８は，電界強度Ｖ１とＶ３との間では，通過帯域を狭くする方向へ動作する場合には通過帯域Ｗを維持し，通過帯域を広くする方向へ動作する場合には通過帯域Ｎを維持する。そうすることにより，電界強度がＶ１とＶ３の間で不安定に変動する場合であっても，電界強度信号の変動に応じて通過帯域を過敏に切替えることにより映像が不安定となることを回避することができる。
【００４１】
以上説明したとおり，本実施の形態におけるテレビジョン信号処理装置によれば，テレビジョン信号全体のＳ／Ｎ比が低下した場合でも，抽出した色信号のＳ／Ｎ比を改善することができ，映像の色の品質劣化を軽減することができる。
【図面の簡単な説明】
【００４２】
【図１】本実施の形態におけるテレビジョン信号処理装置の構成を説明する図である。
【図２】コンポジット映像信号の周波数成分を説明する図である。
【図３】電界強度に応じたバンドパスフィルタ２３の通過帯域を説明する図である。
【図４】バンドパスフィルタ２３の出力の周波数特性を説明する図である。
【図５】コンポジット映像信号の波形を説明する図である。
【図６】バンドパスフィルタ２３の通過帯域の変更をヒステリシス的に行う制御部２８の動作を説明する図である。
【符号の説明】
【００４３】
１００：テレビジョン信号受信装置          ２００：テレビジョン信号処理装置
２２：信号抽出部                          ２３：バンドパスフィルタ
２８：制御部                              ＣＭＶＳ：コンポジット映像信号          Ｃ：色信号
Ｙ：輝度信号   
【図１】
2007306173.tif 000003
【図２】
2007306173.tif 000004
【図３】
2007306173.tif 000005
【図４】
2007306173.tif 000006
【図５】
2007306173.tif 000007
【図６】
2007306173.tif 000008